(57)【要約】  発光装置（１０）は、発光部（１４０）、第１端子（２０３）、第２端子（２０４）、第１配線（１９１）および第２配線（１９２）を備える。発光部（１４０）は、基板（１００）の第１面（１０１）側に位置し、第１電極（１１０）、有機層（１２０）、及び第２電極（１３０）を含む積層構造からなる。第１端子（２０３）は、基板（１００）の第１端部（１０３）に位置し、第１電極（１１０）又は第２電極（１３０）に電気的に接続されている。第２端子（２０４）は、第１端部（１０３）に対向する基板（１００）の第２端部（１０４）に位置し、第１電極（１１０）又は第２電極（１３０）に接続されている。第１配線（１９１）は、第２端部（１０４）とは異なる方向に向かって延びるよう、第１端子（２０３）に接続されている。第２配線（１９２）は、第１端部（１０３）とは異なる方向に向かって延びるよう、第２端子（２０４）に接続されている。
2018151027.tif 000002
【特許請求の範囲】
【請求項１】
基板の第１面側に位置し、第１電極、有機層、及び第２電極を含む積層構造からなる発光部と、
前記基板の第１端部に位置し、前記第１電極又は前記第２電極に電気的に接続された第１端子と、
前記第１端部に対向する前記基板の第２端部に位置し、前記第１電極又は前記第２電極に接続された第２端子と、
前記第２端部とは異なる方向に向かって延びるよう、前記第１端子に接続されている第１配線と、
前記第１端部とは異なる方向に向かって延びるよう、前記第２端子に接続されている第２配線とを備える発光装置。
【請求項２】
請求項１に記載の発光装置において、
前記第１配線及び前記第２配線の少なくとも一方は、前記発光部の発光面側とは反対側において、前記発光部と重なる発光装置。
【請求項３】
請求項１または２に記載の発光装置において、
前記基板に固定された固定部材をさらに備え、
前記第１配線及び前記第２配線の少なくとも一方は、前記固定部材に設けられた開口を通る発光装置。
【請求項４】
請求項１から３のいずれか一項に記載の発光装置において、
前記第１端子と前記第２端子とは、前記第１電極及び前記第２電極のうち、同じ電極と電気的に接続されている発光装置。
【請求項５】
請求項４に記載の発光装置において、
前記第１電極及び前記第２電極のうち、前記第１端子及び前記第２端子が電気的に接続されている電極とは異なる電極に、電気的に接続されている第３端子をさらに備える発光装置。
【請求項６】
請求項１から５のいずれか一項に記載の発光装置において、
前記第１配線及び前記第２配線は、それぞれ前記基板とは別に設けられている発光装置。
【請求項７】
請求項１から６のいずれか一項に記載の発光装置において、
前記基板は、前記基板に垂直な方向から見て第１領域を囲っており、かつ、前記第１領域に繋がる第２領域において前記基板は途切れており、
前記第１端部と前記第２端部とは前記第２領域を介して互いに対向している発光装置。
【発明の詳細な説明】
【技術分野】
【０００１】
本発明は、発光装置に関する。
【背景技術】
【０００２】
近年は有機ＥＬを利用した発光装置の開発が進んでいる。この発光装置は、照明装置や表示装置として使用されており、第１電極と第２電極の間に有機層を挟んだ構成を有している。有機ＥＬはたとえば薄膜化やフレキシブル化、面発光等が可能であり、様々なデザインへの応用可能性がある。【０００３】
特許文献１には、ハート型や星形の有機ＥＬ発光装置が開示されている。そして、正極コンタクト部と負極コンタクト部を離間して設けることが記載されている。
【先行技術文献】
【特許文献】
【０００４】
【特許文献１】特開２０１６−２６３７６号公報
【発明の概要】
【発明が解決しようとする課題】
【０００５】
有機ＥＬの制御のためには、正極および負極の端子にたとえばケーブル配線が接続される。しかし、複数のケーブル配線を接続する場合、ケーブル配線同士が空間的に干渉するおそれがあり、デザインの自由度を損ねるおそれがあった。【０００６】
本発明が解決しようとする課題としては、ケーブル配線の干渉を防ぐことで有機ＥＬ装置のデザイン自由度を高めることが一例として挙げられる。
【課題を解決するための手段】
【０００７】
請求項１に記載の発明は、
基板の第１面側に位置し、第１電極、有機層、及び第２電極を含む積層構造からなる発光部と、
前記基板の第１端部に位置し、前記第１電極又は前記第２電極に電気的に接続された第１端子と、
前記第１端部に対向する前記基板の第２端部に位置し、前記第１電極又は前記第２電極に接続された第２端子と、
前記第２端部とは異なる方向に向かって延びるよう、前記第１端子に接続されている第１配線と、
前記第１端部とは異なる方向に向かって延びるよう、前記第２端子に接続されている第２配線とを備える発光装置である。
【図面の簡単な説明】
【０００８】
上述した目的、およびその他の目的、特徴および利点は、以下に述べる好適な実施の形態、およびそれに付随する以下の図面によってさらに明らかになる。【０００９】
【図１】実施形態に係る発光装置の構成を例示する断面図である。
【図２】実施形態に係る発光装置の構成を例示する平面図である。
【図３】実施形態に係る発光装置の発光部の構成を例示する断面図である。
【図４】実施形態に係る発光装置の変形例を示す断面図である。
【図５】実施例１に係る発光装置の構成を例示する断面図である。
【図６】実施例１に係る発光装置の第２端部近傍の構造を例示する斜視図である。
【図７】実施例２に係る発光装置の構成を例示する平面図である。
【図８】実施例２に係る発光装置の構成を例示する平面図である。
【図９】実施例２に係る発光装置の構成を例示する平面図である。
【図１０】実施例２に係る発光装置の構成を例示する平面図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
図１は、実施形態に係る発光装置１０の構成を例示する断面図である。図２は、本実施形態に係る発光装置１０の構成を例示する平面図である。そして、図３は、本実施形態に係る発光装置１０の発光部１４０の構成を例示する断面図である。図１は図２のＡ−Ａ断面図であり、図３は図２のＢ−Ｂ断面図である。
【００１２】
発光装置１０は、発光部１４０、第１端子２０３、第２端子２０４、第１配線１９１および第２配線１９２を備える。発光部１４０は、基板１００の第１面１０１側に位置し、第１電極１１０、有機層１２０、及び第２電極１３０を含む積層構造からなる。第１端子２０３は、基板１００の第１端部１０３に位置し、第１電極１１０又は第２電極１３０に電気的に接続されている。第２端子２０４は、第１端部１０３に対向する基板１００の第２端部１０４に位置し、第１電極１１０又は第２電極１３０に接続されている。第１配線１９１は、第２端部１０４とは異なる方向に向かって延びるよう、第１端子２０３に接続されている。第２配線１９２は、第１端部１０３とは異なる方向に向かって延びるよう、第２端子２０４に接続されている。以下に詳しく説明する。
【００１３】
発光装置１０は照明装置、または表示装置である。発光装置１０は、たとえば車両に取り付けられ、ブレーキランプ等として用いられてもよい。
【００１４】
本実施形態の発光装置１０において、第１配線１９１は第２端部１０４に向かう方向とは異なる方向に向かって延びるよう設けられ、第２配線１９２は第１端部１０３に向かう方向とは異なる方向に向かって延びるよう設けられている。したがって、互いに対向する第１端部１０３と第２端部１０４とに端子が設けられた設計でも、第１配線１９１と第２配線１９２とが互いに空間的に干渉することがない。
【００１５】
基板１００の材料は特に限定されないが、基板１００は例えばガラス基板や樹脂基板などの透光性を有する基板である。基板１００は可撓性を有していてもよい。可撓性を有している場合、基板１００の厚さは、例えば１０μｍ以上１０００μｍ以下である。基板１００の形状は、互いに対向する第１端部１０３および第２端部１０４を有する限り特に限定されず、例えば全体として矩形などの多角形や円形でありうる。基板１００が樹脂基板である場合、基板１００は、例えばＰＥＮ（ポリエチレンナフタレート）、ＰＥＳ（ポリエーテルサルホン）、ＰＥＴ（ポリエチレンテレフタラート）、ポリイミド、ＰＣ（ポリカーボネート）、又はオレフィン系樹脂を用いて形成されている。基板１００は、無機材料と有機材料とを複合した無機有機ハイブリッド基板であっても良い。また、基板１００が樹脂基板である場合、水分が基板１００を透過することを抑制するために、基板１００の少なくとも一面（好ましくは両面）に、無機バリア膜が形成されているのが好ましい。無機バリア膜としてはたとえば、ＳｉＮｘ膜、ＳｉＯＮ膜、ＳｉＯｘ、ＳｉＯＣ、ＳｉＯＣＮ等の酸化シリコン系膜、Ａｌ２Ｏ３等の酸化アルミナ系膜、ＴｉＯ２等の酸化チタン系膜、ＺＴＯ膜、およびこれらの組み合わせが挙げられる。基板１００は平板状であっても良いし、第１面１０１が湾曲していても良い。
【００１６】
基板１００の第１面１０１には発光部１４０が形成されている。発光部１４０は、透光性の第１電極１１０、有機層１２０、および遮光性の第２電極１３０がこの順に積層された積層構造からなる。そして、第１電極１１０は、基板１００と第２電極１３０との間に位置する。したがって、発光部１４０が発する光のうち、第１電極１１０側に出力される光は、第２電極１３０側に出力される光よりも高強度になる。すなわち、基板１００の第１面１０１とは反対側の第２面１０２が発光面となる。
【００１７】
第１電極１１０は、光透過性を有する透明電極である。透明電極の材料は、金属を含む材料、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）、ＺｎＯ（Ｚｉｎｃ  Ｏｘｉｄｅ）等の金属酸化物である。第１電極１１０の厚さは、例えば１０ｎｍ以上５００ｎｍ以下である。第１電極１１０は、例えばスパッタリング法又は蒸着法を用いて形成される。なお、第１電極１１０は、カーボンナノチューブ、又はＰＥＤＯＴ／ＰＳＳなどの導電性有機材料であってもよい。
【００１８】
有機層１２０は発光層を有している。有機層１２０は、例えば、正孔注入層、発光層、及び電子注入層をこの順に積層させた構成を有している。正孔注入層と発光層との間には正孔輸送層が形成されていてもよい。また、発光層と電子注入層との間には電子輸送層が形成されていてもよい。有機層１２０は蒸着法で形成されてもよい。また、有機層１２０のうち少なくとも一つの層、例えば第１電極１１０と接触する層は、インクジェット法、印刷法、又はスプレー法などの塗布法によって形成されてもよい。なお、この場合、有機層１２０の残りの層は、蒸着法によって形成されていてもよく、また、有機層１２０のすべての層が、塗布法を用いて形成されていてもよい。有機層１２０のすべての層が、蒸着法を用いて形成されていてもよい。
【００１９】
第２電極１３０は、例えば、Ａｌ、Ａｕ、Ａｇ、Ｐｔ、Ｍｇ、Ｓｎ、Ｚｎ、及びＩｎからなる群の中から選択される金属、又はこの群から選択される金属の合金からなる金属層を含んでいる。この場合、第２電極１３０は遮光性を有している。第２電極１３０の厚さは、例えば１０ｎｍ以上５００ｎｍ以下である。第２電極１３０は、例えばスパッタリング法又は蒸着法を用いて形成される。図３に示す例において、第２電極１３０は、第１電極１１０よりも広くなっている。このため、基板１００の第１面１０１に垂直な方向から見た場合、幅方向において第１電極１１０の全体が第２電極１３０と重なっており、また第２電極１３０に覆われている。なお、第１電極１１０は、第２電極１３０よりも幅が広く、基板１００の第１面１０１に垂直な方向から見た場合、幅方向において第２電極１３０の全体が第１電極１１０に重なっていてもよい。
【００２０】
第１電極１１０の縁は、少なくとも一部が絶縁膜１５０によって覆われている。絶縁膜１５０は例えばポリイミドなどの感光性の樹脂材料によって形成されており、第１電極１１０のうち発光部１４０となる部分を囲っている。図３の例では、基板１００の第１面１０１に垂直な方向から見た場合において、絶縁膜１５０の一部は第２電極１３０から幅方向にはみ出ている。そして、図３に示す例において、第２電極１３０は絶縁膜１５０の上にも形成されている。また、基板１００の第１面１０１に垂直な方向から見た場合において、有機層１２０の一部は絶縁膜１５０と重なっている。そして、図２および図３に示す例において、有機層１２０は絶縁膜１５０の上にも形成されている。
【００２１】
本実施形態に係る発光装置１０は、封止膜１８０をさらに備える。封止膜１８０は、発光部１４０の全体を覆うよう形成されている。発光部１４０は封止膜１８０と基板１００との間に位置する。封止膜１８０としては、例えば、ＳｉＮｘ、ＳｉＯＮ、Ａｌ２Ｏ３、ＴｉＯ２、ＳｉＯｘ、ＳｉＯＣ、ＳｉＯＣＮなどの無機バリア膜や、それらを含むバリア積層膜、またはそれらの混合膜を用いることができる。これらは、例えば、スパッタリング法、ＣＶＤ法、ＡＬＤ法、ＥＢ蒸着法などの真空成膜法で形成することができる。図３の例において、封止膜１８０の一部は第１面１０１に接している。なお、発光装置１０は、封止膜１８０の代わりにまたは、封止膜１８０に加えて、板状の封止部材を用いて封止されていても良い。その場合、封止部材は接着層を介して基板１００に固定される。また、封止部材と接着剤の間には乾燥剤が挿入されていても良い。
【００２２】
図３に示す例において、発光装置１０は導電部１７０をさらに備える。導電部１７０は第１電極１１０に接しており、第１電極１１０の補助電極として機能し得る。第１面１０１に垂直な方向から見て、導電部１７０はたとえば発光部１４０の外周に沿っている。導電部１７０は第１電極１１０の材料より導電率の高い材料を含む。そして、導電部１７０の電気抵抗率は、第１電極１１０の電気抵抗率よりも低い。導電部１７０はたとえば、Ａｌ、Ａｇ、Ｍｏおよびこれらを含む合金から成る群から選択される金属を含む。具体的には、導電部１７０はＡＰＣ（ＡｇＰｄＣｕ）等であり得る。また導電部１７０は、例えばＭｏ又はＭｏ合金などの第１金属層、Ａｌ又はＡｌ合金などの第２金属層、及びＭｏ又はＭｏ合金などの第３金属層をこの順に積層させた構成を有していてもよい。第１端子２０３および第２端子２０４のうち少なくとも一方は、導電部１７０と一体に形成されていても良い。なお、本図の例において導電部１７０は基板１００と第１電極１１０との間に位置しているが、導電部１７０は、第１電極１１０と絶縁膜１５０との間に位置していても良い。
【００２３】
基板１００は、互いに対向する端部を少なくとも一組有する。すなわち、基板１００の端部のうちの一部である第１端部１０３と、第１端部１０３とは異なる一部である第２端部１０４とは、互いに対向している。第１端部１０３と第２端部１０４とは基板１００の他の部分を介して繋がっている。なお、第１端部１０３および第２端部１０４はそれぞれ、基板１００の端面から所定の距離以内の範囲を示す。所定の距離はたとえば１ｍｍである。または、第１端部１０３および第２端部１０４はそれぞれ、発光部１４０と基板１００の縁との間である。なお、第１端部１０３と第２端部１０４との間の距離はたとえば０．５ｍｍ以上３０ｍｍ以下である。この場合、第１配線１９１と第２配線１９２とが互いに干渉しやすくなる。図２に示す例において、第１端部１０３と第２端部１０４とは互いに平行である。ただし本例に限定されず、第１端部１０３と第２端部１０４とは非平行であっても良い。
【００２４】
第１端部１０３の第１面１０１側には第１端子２０３が設けられており、第２端部１０４の第１面１０１側には第２端子２０４が設けられている。第１端子２０３及び第２端子２０４の少なくとも一部は封止膜１８０の外部に位置している。第１端子２０３は第１電極１１０または第２電極１３０と電気的に接続されており、第２端子２０４は第１電極１１０または第２電極１３０と電気的に接続されている。第１端子２０３の厚さおよび第２端子２０４の厚さはそれぞれ、例えば５０ｎｍ以上１０μｍ以下である。
【００２５】
第１端子２０３および第２端子２０４はそれぞれ導電材料を含む。導電材料としてはたとえば、Ａｌ、Ａｇ、Ｍｏおよびこれらを含む合金から成る群から選択される金属が挙げられる。具体的には、導電材料はＡＰＣ（ＡｇＰｄＣｕ）等であり得る。また、第１端子２０３および第２端子２０４はそれぞれ、例えばＭｏ又はＭｏ合金などの第１金属層、Ａｌ又はＡｌ合金などの第２金属層、及びＭｏ又はＭｏ合金などの第３金属層をこの順に積層させた構成を有していてもよい。第１端子２０３は第１電極１１０および第２電極１３０のいずれかに含まれる材料と同じ材料を含んでも良い。また、第２端子２０４は第１電極１１０および第２電極１３０のいずれかに含まれる材料と同じ材料を含んでも良い。なお、第１端子２０３の材料および構成は、第２端子２０４の材料および構成と同じであっても良いし、異なっていても良い。
【００２６】
第１端子２０３には第１配線１９１が電気的に接続されており、第２端子２０４には第２配線１９２が電気的に接続されている。具体的には、第１配線１９１の一端と第１端子２０３とは接続部１９４を介して接続されており、第２配線１９２の一端と第２端子２０４とは接続部１９４を介して接続されている。接続部１９４はたとえば金属間化合物または異方性接着剤である。金属間化合物としては、たとえば半田が挙げられる。なお、第１端子２０３と第１配線１９１にはそれぞれコネクタが取り付けられており、第１端子２０３と第１配線１９１とはこれらのコネクタを介して接続されていても良い。また、第２端子２０４と第２配線１９２にはそれぞれコネクタが取り付けられており、第２端子２０４と第２配線１９２とはこれらのコネクタを介して接続されていても良い。
【００２７】
第１配線１９１および第２配線１９２はそれぞれ、たとえばフレキシブルケーブルである。第１配線１９１及び第２配線１９２は、それぞれ基板１００とは別に設けられている。すなわち、第１配線１９１および第２配線１９２は、基板１００の表面に成膜された膜配線ではない。
【００２８】
上記した通り、第１配線１９１は第２端部１０４に向かう方向とは異なる方向に向かって延びるよう第１端子２０３に接続され、第２配線１９２は第１端部１０３に向かう方向とは異なる方向に向かって延びるよう第２端子２０４に接続されている。具体的には、第１面１０１に垂直な方向から見て、第１端部１０３と第２端部１０４とはｘ軸方向と平行な方向に対向している。なお、ｘ軸方向は、第１面１０１に平行な一軸方向である。第２端部１０４は第１端部１０３から見て＋ｘ方向側に位置し、第１端部１０３は第２端部１０４から見て−ｘ方向側に位置する。ここで、第１配線１９１は第１端子２０３に取り付けられた一端から、＋ｘ方向とは異なる方向に向かって延びている。そして、第２配線１９２は第２端子２０４に取り付けられた一端から、−ｘ方向とは異なる方向に向かって延びている。図１および図２の例において、第１配線１９１は第１端子２０３に取り付けられた一端から、−ｘ方向に向かって延びており、第２配線１９２は第２端子２０４に取り付けられた一端から、＋ｘ方向に向かって延びている。ただし図１および図２の例に限定されず、たとえば第１配線１９１および第２配線１９２のうち少なくとも一方は、ｘ軸方向とは垂直なｙ軸方向に延びていても良い。
【００２９】
なお、上記した、第１配線１９１が第２端部１０４とは異なる方向に向かって延びるよう第１端子２０３に接続されている状態とは、第１配線１９１に外力を加えない状態において、第１配線１９１が第２端部１０４とは異なる方向に向かって延びている状態をいう。具体的にはたとえば、第１配線１９１を曲げたりねじったりすることなく、第１配線１９１と第１端子２０３との接続部における第１配線１９１と第１端子２０３との向き関係に従って延ばした状態において、第１配線１９１が第２端部１０４とは異なる方向に向かって延びている状態をいう。
【００３０】
また、第２配線１９２が第１端部１０３とは異なる方向に向かって延びるよう第２端子２０４に接続されている状態とは、第２配線１９２に外力を加えない状態において、第２配線１９２が第１端部１０３とは異なる方向に向かって延びている状態をいう。具体的にはたとえば、第２配線１９２を曲げたりねじったりすることなく、第２配線１９２と第２端子２０４との接続部における第２配線１９２と第２端子２０４との向き関係に従って延ばした状態において、第２配線１９２が第１端部１０３とは異なる方向に向かって延びている状態をいう。なお、第１配線１９１や第２配線１９２にコネクタが取り付けられている場合、コネクタ内で第１配線１９１や第２配線１９２が折り曲げられる等されている状態を許容する。
【００３１】
第１配線１９１及び第２配線１９２の少なくとも一方は、発光部１４０の発光面側とは反対側において、発光部１４０と重なる。第１配線１９１と発光部１４０とが重なる部分において、発光部１４０は第１配線１９１と基板１００との間に位置する。また、第２配線１９２と発光部１４０とが重なる部分において、発光部１４０は第２配線１９２と基板１００との間に位置する。したがって、発光装置１０の占有面積を小さくすることができる。
【００３２】
図１に示す例において、第１端子２０３と第２端子２０４とは、第１電極１１０及び第２電極１３０のうち、同じ電極と電気的に接続されている。より詳しくは、第１端子２０３および第２端子２０４はいずれも第２電極１３０に接続されている。第１端部１０３近傍と第２端部１０４近傍とは、電気的に最も遠い関係にある可能性があるのに対し、第１端子２０３と第２端子２０４とが同じ電極に接続されていることにより、その電極の電位を全体的に安定させることができる。
【００３３】
また、発光装置１０は、第１電極１１０及び第２電極１３０のうち、第１端子２０３及び第２端子２０４が電気的に接続されている電極とは異なる電極に、電気的に接続されている第３端子２０５をさらに備える。第３端子２０５にさらに第３配線１９３の一端を接続することにより、第１端子２０３および第２端子２０４に接続されていない電極に対して電圧を印加することができる。
【００３４】
図４は、本実施形態に係る発光装置１０の変形例を示す断面図である。本図に示された断面は図１に示された断面に対応する。本変形例に係る発光装置１０は、第１端子２０３および第２端子２０４がいずれも第１電極１１０に接続されている点を除いて図１に示した例と同じである。透明電極の導電率は金属電極の導電率よりも低いことがある。それに対し、第１端子２０３と第２端子２０４とがいずれも第１電極１１０に接続されていることにより、第１電極１１０の電位を全体的に安定させることができる。
【００３５】
第１配線１９１、第２配線１９２、および第３配線１９３の各他端が制御回路に接続されることにより、第１電極１１０は制御回路の正極端子に電気的に接続され、第２電極１３０は制御回路の負極端子に電気的に接続される。
【００３６】
次に、発光装置１０の製造方法について説明する。まず、基板１００に導電部１７０を、例えばスパッタリング法などによる成膜およびエッチング等によるパターニングを行って形成する。たとえばこの際に第１端子２０３、第２端子２０４、および第３端子２０５を同時に形成することができる。次いで、第１電極１１０を、例えばスパッタリング法を用いて形成する。そして、第１電極１１０を例えばフォトリソグラフィー法を利用して所定のパターンにする。次いで、第１電極１１０の縁の上に絶縁膜１５０を形成する。例えば絶縁膜１５０が感光性の樹脂で形成されている場合、絶縁膜１５０は、露光及び現像工程を経ることにより、所定のパターンに形成される。次いで、有機層１２０及び第２電極１３０をこの順に形成する。有機層１２０が蒸着法で形成される層を含む場合、この層は、例えばマスクを用いるなどして所定のパターンに形成される。第２電極１３０も、例えばマスクを用いるなどして所定のパターンに形成される。次いで、封止膜１８０を形成して発光部１４０を封止する。その後、第１端子２０３に第１配線１９１を固定し、第２端子２０４に第２配線１９２を固定する。
【００３７】
以上、本実施形態によれば、第１配線１９１は、第２端部１０４とは異なる方向に向かって延びるよう、第１端子２０３に接続されている。第２配線１９２は、第１端部１０３とは異なる方向に向かって延びるよう、第２端子２０４に接続されている。したがって、第１端部１０３と第２端部１０４とが対向している場合であっても、第１配線１９１と第２配線１９２との空間的な干渉を防ぐことができる。ひいては、発光装置１０のデザイン自由度を高めることができる。
【００３８】
（実施例１）
図５は実施例１に係る発光装置１０の構成を例示する断面図である。また、図６は、実施例１に係る発光装置１０の第２端部１０４近傍の構造を例示する斜視図である。図５は、実施形態の図１に対応する。本実施例に係る発光装置１０は、実施形態に係る発光装置１０と同様の構成を有する。また、本実施例に係る発光装置１０は、基板１００に固定された固定部材１９６をさらに備える。そして、第１配線１９１及び第２配線１９２の少なくとも一方は、固定部材１９６に設けられた開口１９８を通る。以下に詳しく説明する。
【００３９】
本実施例に係る固定部材１９６はたとえば板状の部材であり、樹脂部材である。固定部材１９６の外形は、たとえば基板１００の外形と同じである。固定部材１９６は発光部１４０、第１端子２０３、第２端子２０４、第１配線１９１、および第２配線１９２の少なくとも一部を覆っている。そして、固定部材１９６は基板１００に対し接着層１９７を介して固定されている。接着層１９７はたとえば接着剤の固化物または硬化物であり、発光部１４０と固定部材１９６との間に充填されている。なお、接着層１９７および固定部材１９６に充分な封止機能がある場合、発光装置１０は封止膜１８０を備えていなくても良い。
【００４０】
固定部材１９６には、第１端部１０３の近傍および第２端部１０４の近傍に開口１９８が設けられている。そして、第１配線１９１及び第２配線１９２の少なくとも一方は開口１９８を通っている。本図の例においてより詳しくは、第１配線１９１のうち、第１端部１０３に接続された一端は固定部材１９６と基板１００との間に位置する。そして、第１配線１９１の他端側は固定部材１９６を基準に基板１００とは反対側に位置する。また、第２配線１９２のうち、第２端部１０４に接続された一端は固定部材１９６と基板１００との間に位置する。そして、第２配線１９２の他端側は固定部材１９６を基準に基板１００とは反対側に位置する。
【００４１】
以上、本実施例によれば、実施形態と同様、第１配線１９１は、第２端部１０４とは異なる方向に向かって延びるよう、第１端子２０３に接続されている。第２配線１９２は、第１端部１０３とは異なる方向に向かって延びるよう、第２端子２０４に接続されている。したがって、第１端部１０３と第２端部１０４とが対向している場合であっても、第１配線１９１と第２配線１９２との空間的な干渉を防ぐことができる。ひいては、発光装置１０のデザイン自由度を高めることができる。
【００４２】
くわえて、本実施例によれば、発光装置１０は固定部材１９６をさらに備え、第１配線１９１及び第２配線１９２の少なくとも一方は、固定部材１９６に設けられた開口１９８を通る。したがって、発光部１４０や、配線と端子との接続部が、基板１００と固定部材１９６の間で保護され、発光装置１０の耐久性が高まる。また、発光装置１０の第２面１０２とは反対側が固定部材１９６で覆われることにより発光装置１０の裏面のデザイン性が高まる。固定部材１９６が金属である場合にはさらに、固定部材１９６の高い放熱性により均熱性が高まる。発光部１４０では温度が高くなると輝度が高くなることから、均熱性を高めることで、輝度ムラを低減することができる。
【００４３】
（実施例２）
図７〜図１０は、実施例２に係る発光装置１０の構成を例示する平面図である。図７〜図１０は発光装置１０を基板１００の第１面１０１側、すなわち発光面とは逆側から見た状態を示しており、第１配線１９１、第２配線１９２およびその他の配線は省略している。図７において、封止膜１８０は破線で示されている。図８は、図７から封止膜１８０および第２電極１３０を除いた図であり、有機層１２０の外周が破線で示されている。図９は、図８から有機層１２０および絶縁膜１５０を除いた図である。図１０は、図９から第１電極１１０を除いた図であり、発光部１４０の外周が破線で示されている。本実施例に係る発光装置１０は、実施形態および実施例１の少なくともいずれかに係る発光装置１０と同様の構成を有する。
【００４４】
本実施例において、基板１００は、基板１００に垂直な方向から見て第１領域１０８を囲っており、かつ、第１領域１０８に繋がる第２領域１０９において基板１００は途切れており、第１端部１０３と第２端部１０４とは第２領域１０９を介して互いに対向している。
【００４５】
言い換えると、第２領域１０９は、基板１００の内側に位置する第１領域１０８と、基板１００の外側に位置する外部領域１１とを繋いでいる。さらに言い換えると、第１領域１０８は基板１００の中空部であり、第２領域１０９は基板１００の切り欠き部である。
【００４６】
また、本実施例において、基板１００の端部には、第１端部１０３、第２端部１０４、第３端部１０５、第４端部１０６、第５端部１０７ａおよび第５端部１０７ｂが含まれる。基板１００の端部のうち第１領域１０８を介して互いに対向する第３端部１０５と第４端部１０６との間の最大距離は第１距離ｄ１である。基板１００の端部のうち第２領域１０９を介して互いに対向する第１端部１０３と第２端部１０４との距離は第２距離ｄ２である。そして、第２距離ｄ２は第１距離ｄ１よりも小さい。
【００４７】
さらに、本実施例において、第３端部１０５と第５端部１０７ａとが基板１００の縁に沿って連続している。ここで、第３端部１０５は基板１００の一の端部であり、第４端部１０６は、第３端部１０５と第１領域１０８を介して対向する端部である。そして、第５端部１０７ａは、基板１００の第３端部１０５とは反対側の端部である。
【００４８】
このように本実施形態に係る発光装置１０は、第１領域１０８を囲う基板１００が第２領域１０９で途切れている。したがって、基板１００をたとえば曲面に沿うように配置した場合であっても、寸法の過不足を第２領域１０９が吸収することにより、発光装置１０にヨレやシワが生じにくくなる。また、デザイン性に優れる発光装置１０を得られる。
【００４９】
本実施例において、導電部１７０は発光部１４０の外周に沿っている。したがって、発光部１４０に充分な電力を供給でき、発光ムラを抑えることができる。
【００５０】
くわえて、有機層１２０や第２電極１３０等を所定のパターンに形成するためにマスクを用いる場合、マスクのうち第１領域１０８に対応する部分を蒸着装置に固定するための支持部が、第２領域１０９に重なるようにすることができる。したがって、基板１００に中空部がある場合でも容易にパターニングをして発光装置１０を製造することができる。
【００５１】
第３端部１０５および第４端部１０６は基板１００の内周の縁である。第３端部１０５と第４端部１０６は直接、または他の端部を介して互いに繋がっている。基板１００の第１面１０１に垂直な方向から見て、第３端部１０５と第４端部１０６とは、互いに平行であっても良いし、非平行であっても良い。また、第３端部１０５および第４端部１０６はそれぞれ直線であっても良いし曲線であっても良い。第３端部１０５および第４端部１０６は、いずれも第１領域１０８に面している。
【００５２】
基板１００は、第５端部１０７ａおよび第５端部１０７ｂを有している。第５端部１０７ａおよび第５端部１０７ｂは基板１００の外周の縁である。本図の例において、第５端部１０７ａは基板１００の第３端部１０５とは反対側の端部であり、第５端部１０７ｂは、基板１００の第４端部１０６とは反対側の端部である。第５端部１０７ａと第５端部１０７ｂは直接、または他の端部を介して互いに繋がっている。基板１００の第１面１０１に垂直な方向から見て、第５端部１０７ａと第５端部１０７ｂとは、互いに平行であっても良いし、非平行であっても良い。また、第５端部１０７ａおよび第５端部１０７ｂはそれぞれ直線であっても良いし曲線であっても良い。第５端部１０７ａおよび第５端部１０７ｂは、いずれも外部領域１１に面している。
【００５３】
第１端部１０３は第３端部１０５と第５端部１０７ａとを繋いでおり、第２端部１０４は第４端部１０６と第５端部１０７ｂとを繋いでいる。また、第１端部１０３の一端と第２端部１０４の一端とは、少なくとも第３端部１０５および第４端部１０６を介して繋がっており、第１端部１０３の他端と第２端部１０４の他端とは、少なくとも第５端部１０７ａおよび第５端部１０７ｂを介して繋がっている。第１端部１０３および第２端部１０４は、いずれも第２領域１０９に面している。そして、第１端部１０３、第２端部１０４、第３端部１０５、第４端部１０６、第５端部１０７ａ、および第５端部１０７ｂは合わせて一つの閉じた領域を形成しており、この領域は基板１００が存在する領域に一致する。
【００５４】
本実施例に係る発光装置１０は、複数を組み合わせて用いることができる。詳しくは、一の発光装置１０の基板１００を他の発光装置１０の第１領域１０８に通して連結させることができる。そうすることで、複数の発光装置１０を用いて全体のデザイン性をさらに高めることができる。
【００５５】
本図の例において、基板１００の第１面１０１には複数の発光部１４０が設けられている。具体的には、発光装置１０は、二つの発光部１４０のセグメントを有している。複数の発光部１４０は全体として基板１００と同様の形状を有している。ただし、本図の例に限定されず、基板１００の第１面１０１には発光部１４０が一つのみ設けられていても良い。また、発光部１４０の形状は第１面１０１に垂直な方向から見て基板１００の形状とは異なっていても良い。
【００５６】
本図の例において、第１電極１１０は複数の領域に分かれており、基板１００の第１面１０１には複数の発光部１４０が設けられているが、第１電極１１０は第１面１０１上で一体であっても良い。その場合、第１面１０１には一つの発光部１４０が形成されていても良い。また、本図の例において、第１電極１１０は発光部１４０毎に形成されているが、第１電極１１０は複数の発光部１４０にわたって連続して形成されていても良い。本図の例において、有機層１２０および第２電極１３０は複数の発光部１４０にわたって連続して形成されている。ただし、本図の例に限定されず、有機層１２０および第２電極１３０の少なくとも一方は、発光部１４０毎に形成されていても良い。
【００５７】
図１０を参照し、本実施例に係る発光装置１０において、基板１００に形成された各端子について以下に詳しく説明する。
【００５８】
本実施例に係る発光装置１０は、第１端子２０３ａ、第１端子２０３ｂ、第１端子２０３ｃ、第２端子２０４ａ、第２端子２０４ｂ、第２端子２０４ｃ、端子２０６ａ、端子２０６ｂ、端子２０７ａ、および端子２０７ｂを備える。第１端子２０３ａ、第１端子２０３ｂ、および第１端子２０３ｃは第１端部１０３に設けられており、基板１００の端面に沿って並んでいる。また、第２端子２０４ａ、第２端子２０４ｂ、および第２端子２０４ｃは第２端部１０４に設けられており、基板１００の端面に沿って並んでいる。第１端部１０３と第２端部１０４とは対向している。そして、第１端子２０３ａと第２端子２０４ａとは対向しており、第１端子２０３ｂと第２端子２０４ｂとは対向しており、第１端子２０３ｃと第２端子２０４ｃとは対向している。第１端子２０３ａおよび第２端子２０４ａは第２電極１３０に電気的に接続されており、第１端子２０３ｂ、第２端子２０４ｂ、第１端子２０３ｃ、および第２端子２０４ｃは第１電極１１０に電気的に接続されている。第１端子２０３ａは第１端子２０３ｂと第１端子２０３ｃとの間に位置しており、第２端子２０４ａは、第２端子２０４ｂと第２端子２０４ｃとの間に位置している。
【００５９】
端子２０６ａおよび端子２０６ｂは発光部１４０と第３端部１０５との間に位置しており、互いに隣り合っている。また、端子２０７ａおよび端子２０７ｂは発光部１４０と第５端部１０７ａとの間に位置しており、互いに隣り合っている。端子２０６ａおよび端子２０７ａは第１電極１１０に電気的に接続されており、端子２０６ｂおよび端子２０７ｂは第２電極１３０に電気的に接続されている。
【００６０】
本実施例において、第１配線１９１は第１端子２０３ａ、第１端子２０３ｂ、および第１端子２０３ｃに接続され、第２配線１９２は第２端子２０４ａ、第２端子２０４ｂ、および第２端子２０４ｃに接続されている。すなわち、第１配線１９１は複数の電線を含み、第１配線１９１の各電線には第１電極１１０に接続された第１端子２０３ｂおよび第１端子２０３ｃと、第２電極１３０に接続された第１端子２０３ａとが接続されている。また、第２配線１９２は複数の電線を含み、第２配線１９２の各電線には第１電極１１０に接続された第２端子２０４ｂおよび第２端子２０４ｃと、第２電極１３０に接続された第２端子２０４ａとが接続されている。
【００６１】
さらに端子２０６ａおよび端子２０６ｂは、同一の配線（図示しないフレキブルケーブル等）に含まれる複数の電線にそれぞれ接続され、端子２０７ａおよび端子２０７ｂは、同一の配線（不図示）に含まれる複数の電線にそれぞれ接続される。
【００６２】
発光装置１０は導電部１７０を備える。導電部１７０は、第１電極１１０と電気的に繋がっている。第１面１０１に垂直な方向から見て、導電部１７０の少なくとも一部は第１電極１１０と重なっており、より好ましくは導電部１７０の全体が第１電極１１０と重なっている。また、導電部１７０は発光部１４０と基板１００の縁との間に位置する。具体的には、基板１００の第１面１０１に垂直な方向から見て、発光部１４０の外周と基板１００の外周とは離れている。そして、導電部１７０は、発光部１４０の外周と基板１００の外周との間に位置し、発光部１４０の外周および基板１００の外周に沿って延在している。
【００６３】
本実施例において導電部１７０は導電部１７０ａと導電部１７０ｂを含む。導電部１７０ａは、基板１００の外周のうち外部領域１１に面している第５端部１０７ａおよび第５端部１０７ｂと、発光部１４０との間に位置する。導電部１７０ｂは、基板１００の外周のうち第１領域１０８に面している第３端部１０５および第４端部１０６と、発光部１４０との間に位置する。
【００６４】
本図に示す例において、導電部１７０は、一つの発光部１４０について一つずつ形成されている。具体的には、導電部１７０は発光部１４０の一方の縁に沿って形成されている。ただし、本例に限定されず、導電部１７０は一つの発光部１４０の両側に形成されていても良い。
【００６５】
第１端子２０３ｂおよび第２端子２０４ｂは、導電部１７０ａの延在方向の両端に位置している。また、第１端子２０３ｃおよび第２端子２０４ｃは、導電部１７０ｂの延在方向の両端に位置している。端子２０７ａは導電部１７０ａの途中の部分に接続されており、第５端部１０７ａに位置する。端子２０６ａは導電部１７０ｂの途中の部分に接続されており、第３端部１０５に位置する。
【００６６】
第２電極１３０の少なくとも一部は絶縁膜１５０を乗り越えて第１端子２０３ａ、第２端子２０４ａ、端子２０６ｂ、及び端子２０７ｂに接続されている。
【００６７】
第１端子２０３ａ、第１端子２０３ｂ、第１端子２０３ｃ、第２端子２０４ａ、第２端子２０４ｂ、第２端子２０４ｃ、端子２０６ａ、端子２０６ｂ、端子２０７ａ、および端子２０７ｂは、たとえば、導電部１７０と同一の材料で形成された層、および、第１電極１１０と同一の材料で形成された層の少なくとも一方を有している。第１端子２０３ａ、第１端子２０３ｂ、第１端子２０３ｃ、第２端子２０４ａ、第２端子２０４ｂ、第２端子２０４ｃ、端子２０６ａ、端子２０６ｂ、端子２０７ａ、および端子２０７ｂのうち導電部１７０と同一の材料で形成された層は、導電部１７０と同一工程で形成することができる。このため、導電部１７０は、第１端子２０３ｂ、第１端子２０３ｃ、第２端子２０４ｂ、第２端子２０４ｃ、端子２０６ａ、および端子２０７ａの少なくとも一部の層と一体になっていてもよい。
【００６８】
なお、発光装置１０は、第１端子２０３ａ、第１端子２０３ｂ、第１端子２０３ｃ、第２端子２０４ａ、第２端子２０４ｂ、第２端子２０４ｃ、端子２０６ａ、端子２０６ｂ、端子２０７ａ、および端子２０７ｂのうち少なくともいずれかを含まなくても良い。
【００６９】
本実施例において、基板１００は全体として、中がくり抜かれたハート型をしている。くり抜かれた部分が第１領域１０８である。ただし、基板１００および発光部１４０の形状は本例に限定されず、円形、矩形、多角形、星形等であっても良い。ただし、発光部１４０の縁の少なくとも一部は基板１００の縁に沿っていることが好ましい。また、基板１００は環状に閉じてはおらず、上記した通り第２領域１０９で途切れている。
【００７０】
以上、図面を参照して実施形態及び実施例について述べたが、これらは本発明の例示であり、上記以外の様々な構成を採用することもできる。
【００７１】
この出願は、２０１７年２月１７日に出願された日本出願特願２０１７−０２７６００号を基礎とする優先権を主張し、その開示の全てをここに取り込む。
【図１】
2018151027.tif 000003
【図２】
2018151027.tif 000004
【図３】
2018151027.tif 000005
【図４】
2018151027.tif 000006
【図５】
2018151027.tif 000007
【図６】
2018151027.tif 000008
【図７】
2018151027.tif 000009
【図８】
2018151027.tif 000010
【図９】
2018151027.tif 000011
【図１０】
2018151027.tif 000012
【国際調査報告】
2018151027.tif 000013
2018151027.tif 000014
2018151027.tif 000015
2018151027.tif 000016